(57)【特許請求の範囲】
【請求項１】
下端に挿入部の基端が連結されて側部にライトガイドケーブルの基端が連結された内視鏡の操作部を、上記操作部が内視鏡用ハンガーに保持された状態のまま被覆することができる内視鏡の操作部汚染防止カバーであって、
上記内視鏡用ハンガーは、鉛直に配置された支柱の上端部に取り付けられて、上記操作部を係合させるための操作部係合溝と、上記ライトガイドケーブルを案内するためのケーブル案内溝とを備え、上記操作部を上記操作部係合溝に係合させることにより、上記操作部が上記内視鏡用ハンガーに保持されて上記挿入部が下方に垂れ下がり、上記ライトガイドケーブルが上記ケーブル案内溝に案内されて上記内視鏡用ハンガーの背面側に延出した状態になるものであり、
上記操作部汚染防止カバーは、上記操作部全体を緩く囲む袋状に形成されると共に、
上記挿入部と上記操作部とをその順に通過させて上記ライトガイドケーブルの基端付近と上記内視鏡用ハンガーとを一緒に囲む位置にセットされたあと上記操作部を保持するための手を外方から差し込めるよう後面側から後方に筒状に延出形成された袖状部と、
上記挿入部を通過させて上記操作部と上記挿入部との連結部付近にセットされるように下端部に形成された小開口部、
とを有することを特徴とする内視鏡の操作部汚染防止カバー。
【発明の詳細な説明】
【０００１】
【発明の属する技術分野】
この発明は、内視鏡の操作部が使用中に汚染されないように被覆するための内視鏡の操作部汚染防止カバーに関する。
【０００２】
【従来の技術】
内視鏡を介して患者から患者への感染等が発生しないようにするためには、内視鏡の操作部を、使用中に汚染されないようにカバーで被覆することが望ましい。
【０００３】
そこで、袋状あるいはシート状等各種の内視鏡の操作部汚染防止カバーが考案されている（例えば、実用新案登録第２６０５５４９号、特許第２９８４０９８号等）。
【０００４】
【発明が解決しようとする課題】
一般に内視鏡検査室においては、使用前の清潔な内視鏡は患者の準備ができ次第すぐに使用できるように、内視鏡ハンガー等のような保持部材に操作部を保持した状態になっている。
【０００５】
しかし、前述のような従来の操作部汚染防止カバーを操作部に被覆する際には、操作部保持部材から操作部を取り外す必要があるので、その際に挿入部を汚したり破損してしまう恐れがあった。
【０００６】
そこで本発明は、内視鏡の操作部を操作部保持部材に保持した状態のままで容易に被覆することができる内視鏡の操作部汚染防止カバーを提供することを目的とする。
【０００７】
【課題を解決するための手段】
上記の目的を達成するため、本発明の内視鏡の操作部汚染防止カバーは、下端に挿入部の基端が連結されて側部にライトガイドケーブルの基端が連結された内視鏡の操作部を被覆するための内視鏡の操作部汚染防止カバーであって、操作部を保持するための操作部保持部材に操作部が保持された状態で、ライトガイドケーブルの基端付近と操作部保持部材とを操作部と共に被覆することができるようにしたものである。
【０００８】
なお、操作部汚染防止カバーが、挿入部と操作部とを順に通過させてライトガイドケーブルの基端付近と操作部保持部材とを一緒に囲む位置にセットされる袖状部と、挿入部を通過させて操作部と挿入部との連結部付近にセットされる小開口部とを有する袋状に形成されていてもよい。
【０００９】
そしてその場合には、袖状部が外方から操作者の手を差し込んで操作部を直接保持できるように形成されていてもよい。
【００１０】
【発明の実施の形態】
図面を参照して本発明の実施例を説明する。
図２は、内視鏡１０と、その内視鏡１０を保持するための内視鏡保持装置２０を示しており、内視鏡１０は、可撓管状の挿入部１１の基端が操作部１２の下端に連結され、図示されていない光源装置に接続されるライトガイドケーブル１３の基端が操作部１２の後面側部に連結された構成になっている。
【００１１】
内視鏡保持装置２０は、この実施例においては、内視鏡１０の操作部１２を保持するための内視鏡ハンガー２２（内視鏡保持部材）が、鉛直に配置された支柱２１の上端部に取り付けられた構成になっており、内視鏡ハンガー２２には、操作部１２を係合させるための操作部係合溝２３と、ライトガイドケーブル１３を案内するためのケーブル案内溝２４等が形成されている。
【００１２】
そして、内視鏡１０の操作部１２を内視鏡保持装置２０の操作部係合溝２３に係合させることにより、図３に示されるように、操作部１２が内視鏡ハンガー２２に保持されて、挿入部１１が下方に垂れ下がり、ライトガイドケーブル１３がケーブル案内溝２４に案内されて内視鏡ハンガー２２に沿って内視鏡ハンガー２２の背面側に延出した状態になる。
【００１３】
図４は、本発明の第１の実施例の操作部汚染防止カバー１を示しており、操作部汚染防止カバー１は、内視鏡１０の操作部１２全体を被覆する袋状に形成されていて、さらにその後面側には、ライトガイドケーブル１３と内視鏡ハンガー２２とを囲む状態になる袖状部２が形成され、下端部には内視鏡１０の挿入部１１が通過する小開口３が形成されている。２ａは、袖状部２の端部開口である。
【００１４】
このような操作部汚染防止カバー１の素材としては、例えばポリエチレンやポリプロピレン等のような可撓性に富んだ合成樹脂材又は弾力性のあるゴム材のシート等を用いることができる。
【００１５】
このように構成された操作部汚染防止カバー１を内視鏡１０の操作部１２に被覆する際には、操作部汚染防止カバー１の移動状態を図示する図５に示されるように、操作部１２が内視鏡ハンガー２２に保持された状態において、内視鏡１０の挿入部１１を袖状部２の端部開口２ａから小開口３に通し、操作部汚染防止カバー１を挿入部１１に沿って操作部１２側に移動させていく。なお、図には、操作部汚染防止カバー１の内側が透視された状態が示されている。
【００１６】
操作部汚染防止カバー１が操作部１２を被覆する状態になったら、図１に示されるように、袖状部２が操作部１２を越えてライトガイドケーブル１３と内視鏡ハンガー２２とを一緒に囲む位置に達するまで操作部汚染防止カバー１を移動させる。操作部汚染防止カバー１の小開口３は、挿入部１１と操作部１２との連結部付近に位置する状態になる。
【００１７】
このようにして、ライトガイドケーブル１３の基端付近と内視鏡ハンガー２２とを袖状部２で一緒に被覆するようにしたことにより、操作部１２が内視鏡ハンガー２２に保持されたままの状態で、操作部１２を操作部汚染防止カバー１によってスッポリと完全に被覆することができる。
【００１８】
そして、内視鏡１０を使用する際には、図６に示されるように、操作者が袖状部２から操作部汚染防止カバー１内に手を差し込んで内視鏡１０の操作部１２を直接保持することができる。
【００２１】
【発明の効果】
本発明の内視鏡の操作部汚染防止カバーは、操作部を保持するための操作部保持部材に操作部が保持された状態において、ライトガイドケーブルの基端付近と操作部保持部材とを操作部と共に被覆することができるので、内視鏡の操作部を操作部保持部材に保持した状態のままで容易に被覆することができ、操作部を被覆する作業の際に挿入部を汚したり破損してしまう恐れがない優れた効果を有する。
【図面の簡単な説明】
【図１】本発明の第１の実施例の内視鏡の操作部汚染防止カバーが操作部に被覆された状態の透視図である。
【図２】本発明の第１の実施例の内視鏡と内視鏡保持装置の斜視図である。
【図３】本発明の第１の実施例の内視鏡が内視鏡保持装置に保持された状態の斜視図である。
【図４】本発明の第１の実施例の内視鏡の操作部汚染防止カバーの斜視図である。
【図５】本発明の第１の実施例の内視鏡の操作部汚染防止カバーを操作部に被覆する作業の状態の透視図である。
【図６】本発明の第１の実施例の内視鏡の操作部汚染防止カバーが被覆された操作部を操作者が手で保持した状態の透視図である。
【符号の説明】
１  操作部汚染防止カバー
２  袖状部
２ａ  端部開口
３  小開口
１０  内視鏡
１１  挿入部
１２  操作部
１３  ライトガイドケーブル
２０，２０′  内視鏡保持装置
２１  支柱
２２  内視鏡ハンガー（操作部保持部材）
２３  操作部係合溝
２４  ケーブル案内溝
【図１】
0004037134.tif 000002
【図２】
0004037134.tif 000003
【図３】
0004037134.tif 000004
【図４】
0004037134.tif 000005
【図５】
0004037134.tif 000006
【図６】
0004037134.tif 000007